(57)【要約】【課題】掃除機本体内に放出される帯電微粒子水により、掃除機本体に吸引された塵埃内での雑菌の繁殖を十分に抑制することができ、掃除機本体を十分に清潔に保つことができるとともに、掃除機本体内の悪臭を十分に抑制することができる電気掃除機の提供。【解決手段】本発明の電気掃除機は、吸引用電動送風機を有する掃除機本体と、掃除機本体内に設けられており、ラジカル成分を含む帯電微粒子水を生成する静電霧化ユニットと、を備え、静電霧化ユニットは、掃除機本体内に帯電微粒子水を放出させる位置に配置されている。【選択図】図１
2011136010.tif 000002
【特許請求の範囲】
【請求項１】
負圧を生成する吸引用電動送風機を有する掃除機本体と、
前記掃除機本体内に設けられており、ペルチェ素子と、前記ペルチェ素子の一端に取り付けられた放熱フィンと、前記ペルチェ素子の他端に取り付けられた放電電極とを有しており、ラジカル成分を含む帯電微粒子水を生成する静電霧化ユニットと、を備え、
前記静電霧化ユニットは、前記掃除機本体内に前記帯電微粒子水を放出させる位置に配置されている電気掃除機。
【請求項２】
前記吸引用電動送風機の負圧側には、塵埃を捕集する集塵部を有する集塵室が設けられており、前記静電霧化ユニットは、前記集塵部と前記集塵室との間に前記帯電微粒子水を放出させる位置に配置されている請求項１に記載の電気掃除機。
【請求項３】
前記吸引用電動送風機の負圧側には、塵埃を捕集する集塵部を有する集塵室が設けられており、前記集塵部の後方には、塵埃をろ過するフィルタが設けられており、前記静電霧化ユニットは、前記帯電微粒子水を前記フィルタへ放出させる位置に配置されている請求項１に記載の電気掃除機。
【請求項４】
前記吸引用電動送風機の負圧側には、塵埃を捕集する集塵部を有する集塵室が設けられており、前記静電霧化ユニットは、前記集塵部の内部へ前記帯電微粒子水を放出させる位置に配置されている請求項１〜３のうちの何れか１項に記載の電気掃除機。
【請求項５】
前記吸引用電動送風機の負圧側には、塵埃を捕集する集塵部を有する集塵室が設けられており、前記集塵部の後方には、塵埃をろ過するフィルタが設けられており、前記静電霧化ユニットは、前記集塵部と前記集塵室との間に前記帯電微粒子水を放出させる位置、前記帯電微粒子水を前記フィルタへ放出させる位置、及び前記集塵部の内部へ前記帯電微粒子水を放出させる位置のうちの少なくとも２箇所に設けられている請求項１に記載の電気掃除機。
【発明の詳細な説明】
【技術分野】
【０００１】
本発明は、電気掃除機に帯電微粒子水を発生させる静電霧化ユニットを搭載することで、通常の掃除に加えて、空気中のウィルス・浮遊菌の不活性化や、本体表面あるいは集塵室内部の除菌・脱臭などをおこなうものである。
【背景技術】
【０００２】
従来の電気掃除機は、床面の塵埃や本体の排気に含まれる微細塵が、掃除を行なうことで空中に舞い上がり再度床面に降り積もるため、室内の換気が奨励されていた。この課題を解決するために、高圧放電により発生させたイオンを掃除機本体から放出し、空中の微細塵を帯電させ、この帯電した微細塵を吸込むことで紙パックを帯電させ、紙パックに塵埃を付着させて集塵する電気掃除機が提案されている（例えば特許文献１参照）。
【０００３】
また、集塵袋に抗菌効果のある材料を使用し、集塵袋上での雑菌繁殖を抑えるものもある（例えば特許文献２参照）。
【先行技術文献】
【特許文献】
【０００４】
【特許文献１】特開２００８−２１２３８９号公報
【特許文献２】特許第１９３７６５９号公報
【発明の概要】
【発明が解決しようとする課題】
【０００５】
しかしながら、上述の特許文献１に記載の従来の電気掃除機では、掃除機本体に吸引された塵埃内で雑菌が繁殖するため、掃除機本体を十分に清潔に保つことができなかった。
【０００６】
また、上述の特許文献２に記載の従来の集塵袋では、集塵袋表面での雑菌の繁殖を十分に抑制することはできるが、集塵袋内の塵埃で繁殖する雑菌を十分に抑制することはできなかった。
【０００７】
さらに、上述の特許文献１に記載の従来の電気掃除機及び上述の特許文献２に記載の従来の集塵袋では、掃除機本体内または集塵袋内の悪臭を十分に抑制することはできなかった。
【０００８】
本発明は、上記従来技術の有する課題に鑑みてなされたものであり、掃除機本体に吸引された塵埃内での雑菌の繁殖を十分に抑制することができ、掃除機本体を十分に清潔に保つことができるとともに、掃除機本体内の悪臭を十分に抑制することができる電気掃除機を提供することを目的とする。
【課題を解決するための手段】
【０００９】
上記従来技術の課題を解決するために、本発明は、
負圧を生成する吸引用電動送風機を有する掃除機本体と、
掃除機本体内に設けられており、ペルチェ素子と、ペルチェ素子の一端に取り付けられた放熱フィンと、ペルチェ素子の他端に取り付けられた放電電極とを有しており、ラジカル成分を含む帯電微粒子水を生成する静電霧化ユニットと、を備え、
静電霧化ユニットは、帯電微粒子水が掃除機本体内に放出されるように配置されている電気掃除機を提供する。
【００１０】
これにより、掃除機本体内に放出される帯電微粒子水により、掃除機本体に吸引された塵埃内での雑菌の繁殖を十分に抑制することができ、掃除機本体を十分に清潔に保つことができるとともに、掃除機本体内の悪臭を十分に抑制することができる。
【発明の効果】
【００１１】
本発明の電気掃除機によれば、掃除機本体内に放出される帯電微粒子水により、掃除機本体に吸引された塵埃内での雑菌の繁殖を十分に抑制することができ、掃除機本体を十分に清潔に保つことができるとともに、掃除機本体内の悪臭を十分に抑制することができる。
【図面の簡単な説明】
【００１２】
【図１】本発明の実施の形態１における電気掃除機の内部構成図
【図２】本発明の実施の形態２における電気掃除機の内部構成図
【図３】本発明の実施の形態３における電気掃除機の内部構成図
【図４】本発明の実施の形態４における電気掃除機の内部構成図
【図５】本発明の静電霧化ユニットの構成・動作説明図
【発明を実施するための形態】
【００１３】
第１の発明は、負圧を生成する吸引用電動送風機を有する掃除機本体と、掃除機本体内に設けられており、ペルチェ素子と、ペルチェ素子の一端に取り付けられた放熱フィンと、ペルチェ素子の他端に取り付けられた放電電極とを有しており、ラジカル成分を含む帯電微粒子水を生成する静電霧化ユニットと、を備え、静電霧化ユニットは、帯電微粒子水が掃除機本体内に放出されるように配置されている構成としたものである。
【００１４】
これにより、掃除機本体内に放出される帯電微粒子水により、掃除機本体に吸引された塵埃内での雑菌の繁殖を十分に抑制することができ、掃除機本体を十分に清潔に保つことができるとともに、掃除機本体内の悪臭を十分に抑制することができる。
【００１５】
第２の発明は、吸引用電動送風機の負圧側には、塵埃を捕集する集塵部を有する集塵室が設けられており、静電霧化ユニットは、集塵部と集塵室との間に帯電微粒子水を放出させる位置に配置されている構成としたものである。
【００１６】
これにより、集塵部を集塵室より取り出して塵埃を廃棄する際に、使用者の手が触れる部分を除菌及び消臭することが可能となり、衛生的となる。
【００１７】
第３の発明は、吸引用電動送風機の負圧側には、塵埃を捕集する集塵部を有する集塵室が設けられており、集塵部の後方には、塵埃をろ過するフィルタが設けられており、静電霧化ユニットは、帯電微粒子水をフィルタへ放出させる位置に配置されている構成としたものである。
【００１８】
これにより、フィルタ部分を除菌及び消臭し、清潔に保つことが可能となり、使用者がフィルタの手入れをする際に、使用者が手でフィルタに触れても衛生的である。
【００１９】
第４の発明は、吸引用電動送風機の負圧側には、塵埃を捕集する集塵部を有する集塵室が設けられており、静電霧化ユニットは、集塵部の内部へ帯電微粒子水を放出させる位置に配置されている構成としたものである。
【００２０】
これにより、集塵した塵埃を除菌脱臭することが可能となり、使用者が塵埃を廃棄する際に衛生的であるとともに、使用者が通常使用する際においても、塵埃を通過して外部へと放出される排気風を衛生的に保つことができる。
【００２１】
第５の発明は、吸引用電動送風機の負圧側には、塵埃を捕集する集塵部を有する集塵室が設けられており、集塵部の後方には、塵埃をろ過するフィルタが設けられており、静電霧化ユニットは、集塵部と集塵室との間に帯電微粒子水を放出させる位置、帯電微粒子水をフィルタへ放出させる位置、及び集塵部の内部へ帯電微粒子水を放出させる位置のうちの少なくとも２箇所に設けられている構成としたものである。
【００２２】
これにより、より効果的に掃除機本体を十分に清潔に保つことができるとともに、掃除機本体内の悪臭を十分に抑制することができる。
【００２３】
以下、図面を参照しながら本発明の便座装置の好適な実施形態について詳細に説明する。なお、以下の説明では、同一または相当部分には同一符号付し、重複する説明は省略する。
【００２４】
（実施の形態１）
図１は、本発明の第１の実施の形態における電気掃除機の内部構成を示すものである。また、図５は、本発明に搭載される静電霧化ユニットの構成を示すものである。
【００２５】
図１に示すように、掃除機本体１は、主として、掃除機本体１の後方に設けられた吸引用電動送風機２と、吸引用電動送風機２の前方の負圧側に設けられた集塵室５とから構成されている。吸引用電動送風機２の排気風は、掃除機本体１の後部に設けられた排気口（図示せず）より、掃除機本体１の外部へと排出される。
【００２６】
掃除機本体１の上部には、カバー３０が設けられており、このカバー３０と掃除機本体１とにより、排出経路６が形成されている。この排出経路６内には、制御基板２８と、後述する静電霧化ユニット２１が配置されている。
【００２７】
集塵室５には、掃除機本体１の前方に設けられた吸引口（図示せず）より吸引された塵埃８を捕集する集塵袋７が内蔵されている。
【００２８】
図５に示すように、静電霧化ユニット２１は、主として、ペルチェ素子２３と、ペルチェ素子２３の発熱側に設けられた放熱フィン２２と、ペルチェ素子２３の冷却側に設けられた放電電極２４とにより構成されており、放電電極２４には高電圧が印加される構成となっている。
【００２９】
図１に示すように、静電霧化ユニット２１は、吸引用電動送風機２の前方の上部の吸引用電動送風機２と集塵室５との間に、放電電極２４が集塵室５内に露出するように配置されている。
【００３０】
以上のように構成された電気掃除機について、以下その動作、作用を説明する。
【００３１】
まず、使用者が、掃除機本体１を運転すると、吸引用電動送風機２により吸引風が発生され、掃除機本体１の吸引口（図示せず）から集塵袋７内に塵埃８が吸込まれる。吸込まれた塵埃８は、集塵袋７によって捕集される。吸引用電動送風機２の排気風は、掃除機本体１の後部に設けられた排気口（図示せず）より、掃除機本体１の外部に排出される。
【００３２】
次に、使用者が、掃除機本体１の運転を停止し、静電霧化ユニット２１を動作させることで、ペルチェ素子２３が通電される。ペルチェ素子２３に通電されることにより、ペルチェ素子２３の冷却側に接続されている放電電極２４が冷却されるとともに、ペルチェ素子２３の発熱側に接続されている放熱フィン２２により、ペルチェ素子２３で発生する熱
が放熱される。放電電極２４の温度が外気の露点以下に達すると、放電電極２４の表面に結露水２７が生じる。放電電極２４には高電圧が印加されており、これにより結露水２７から帯電微粒子水２０が生成される。
【００３３】
静電霧化ユニット２１により生成された帯電微粒子水２０は、集塵室５内部の集塵袋７と集塵室５内壁の間に充満し、集塵袋７表面に付着した雑菌や悪臭を除菌・脱臭する。また、帯電微粒子水２０は浸透性が良いため、集塵袋７の内部に浸透した帯電微粒子水２０により、集塵袋７内部に蓄積した塵埃８に対しても除菌・脱臭効果を与える。
【００３４】
以上のように、本実施の形態においては、帯電微粒子水２０を集塵袋７の外面へと放出させることで、集塵袋７の外面や外面付近の内部の塵埃８の除菌・脱臭が可能となり、集塵袋７を廃棄する際に集塵袋７に直に触れても衛生的とすることができる。
【００３５】
また、本実施の形態では集塵袋７や塵埃８に付着した悪臭を帯電微粒子水２０にて分解脱臭することにより、掃除機本体１を使用している際に外部に放出される悪臭を低減することもできる。
【００３６】
なお、本実施の形態においては、集塵袋７を有する形態について説明したが、本実施の形態の集塵袋７を、バッグレスタイプの集塵フィルタユニットとしてもよい。これにより、集塵フィルタユニットの外面を除菌・脱臭することができる。
【００３７】
（実施の形態２）
本発明の電気掃除機の実施の形態２について、図２を用いて説明する。なお、実施の形態１と同一部分については同一符号を付してその説明を省略する。図２は、本発明の第２の実施の形態における電気掃除機の内部構成を示すものである。
【００３８】
図２に示すように、集塵室５には、掃除機本体１の吸引口（図示せず）より吸引された塵埃８を捕集する集塵フィルタユニット９が内蔵されている。また、集塵フィルタユニット９の後方には、集塵フィルタユニット９を通過した塵埃を捕集するフィルタ１０が設けられている。集塵フィルタユニット９とフィルタ１０とは、外部に空気が漏れないように密着して係合されている。また、フィルタ９と吸引用電動送風機２とは、フィルタ９と吸引用電動送風機２との間に所定の隙間を保ちながら、外部に空気が漏れないように密着して設けられている。
【００３９】
静電霧化ユニット２１は、フィルタ９と吸引用電動送風機２との間の隙間に、放電電極２４が集塵室５内に露出するように配置されている。
【００４０】
以上のように構成された電気掃除機について、以下その動作、作用を説明する。
【００４１】
まず、使用者が、掃除機本体１を運転すると、吸引用電動送風機２により吸引風が発生され、掃除機本体１の吸引口（図示せず）から集塵フィルタユニット９内に塵埃８が吸込まれる。吸込まれた塵埃８は、集塵フィルタユニット９によって捕集される。集塵フィルタユニット９を通過した塵埃は、集塵フィルタユニット９の後方に設けられたフィルタ１０により捕集される。吸引用電動送風機２の排気風は、掃除機本体１の後部に設けられた排気口（図示せず）より、掃除機本体１の外部に排出される。
【００４２】
次に、使用者が、掃除機本体１の運転を停止し、静電霧化ユニット２１を動作させることで、ペルチェ素子２３が通電される。ペルチェ素子２３に通電されることにより、ペルチェ素子２３の冷却側に接続されている放電電極２４が冷却されるとともに、ペルチェ素子２３の発熱側に接続されている放熱フィン２２により、ペルチェ素子２３で発生する熱
が放熱される。放電電極２４の温度が外気の露点以下に達すると、放電電極２４の表面に結露水２７が生じる。放電電極２４には高電圧が印加されており、これにより結露水２７から帯電微粒子水２０が生成される。
【００４３】
静電霧化ユニット２１により生成された帯電微粒子水２０は、集塵フィルタ１０に付着浸透し、集塵フィルタ１０を除菌・脱臭する。
【００４４】
以上のように、本実施の形態においては、内部に塵埃８が浸透しやすく、掃除してもきれいになりにくいフィルタ１０の表面及び内部に生じる雑菌や悪臭を帯電微粒子水２０によって除菌脱臭することにより、ごみ捨て時でも清潔なフィルタ１０とすることができる。
【００４５】
また、本実施の形態ではフィルタ１０と吸引用電動送風機２の間の狭い空間に対して帯電微粒子水２０を放出するため、帯電微粒子水２０が高濃度となり、効果的にフィルタ１０の除菌・脱臭ができる。
【００４６】
なお、本実施の形態においては、集塵フィルタユニット９を有する形態について説明したが、本実施の形態の集塵フィルタユニットは、集塵袋であってもよい。
【００４７】
（実施の形態３）
本発明の電気掃除機の実施の形態３について、図３を用いて説明する。なお、実施の形態１及び実施の形態２と同一部分については同一符号を付してその説明を省略する。図３は、本発明の第３の実施の形態における電気掃除機の内部構成を示すものである。
【００４８】
図３に示すように、静電霧化ユニット２１は、放電電極２４が掃除機本体１の前方に設けられた吸引口（図示せず）に露出するように、集塵室５の前方に設けられている。
【００４９】
以上のように構成された電気掃除機について、以下その動作、作用を説明する。
【００５０】
まず、使用者が、掃除機本体１を運転すると、吸引用電動送風機２により吸引風が発生され、掃除機本体１の吸引口（図示せず）から集塵袋７内に塵埃８が吸込まれる。吸込まれた塵埃８は、集塵袋７によって捕集される。吸引用電動送風機２の排気風は、掃除機本体１の後部に設けられた排気口（図示せず）より、掃除機本体１の外部に排出される。
【００５１】
次に、使用者が、掃除機本体１の運転を停止し、静電霧化ユニット２１を動作させることで、ペルチェ素子２３が通電される。ペルチェ素子２３に通電されることにより、ペルチェ素子２３の冷却側に接続されている放電電極２４が冷却されるとともに、ペルチェ素子２３の発熱側に接続されている放熱フィン２２により、ペルチェ素子２３で発生する熱が放熱される。放電電極２４の温度が外気の露点以下に達すると、放電電極２４の表面に結露水２７が生じる。放電電極２４には高電圧が印加されており、これにより結露水２７から帯電微粒子水２０が生成される。
【００５２】
静電霧化ユニット２１により生成された帯電微粒子水２０は、集塵袋７内部に捕集された塵埃８の表面に付着あるいは内部に浸透し、新たに吸引された塵埃８に対し効果的に除菌脱臭をおこなう。吸引用電動送風機２が停止する、つまり掃除を一旦停止したときに、新たに吸引された塵埃８に対し帯電微粒子水２０を放出し除菌脱臭することで、集塵袋７内の塵埃８および集塵袋７自体は除菌消臭された状態を維持しやすくなる。
【００５３】
以上のように、本実施の形態においては、集塵袋７内に帯電微粒子水２０を放出することで、集塵袋７および内部の塵埃８を衛生的に保つことが可能となり、ごみ捨てを衛生的
におこなうことができる。
【００５４】
なお、本実施の形態においては、吸引用電動送風機２を停止し、静電霧化ユニット２１を動作させたが、吸引用電動送風機を動作させた状態で、静電霧化ユニット２１を動作させてもよい。
【００５５】
これにより、静電霧化ユニット２１によって生成された帯電微粒子水２０が、集塵袋７内に満遍なく広がりやすくなり、集塵袋７内の塵埃の除菌脱臭を行うことができる。また、掃除機本体１の吸引口（図示せず）から吸込まれる塵埃を、静電霧化ユニット２１によって生成された帯電微粒子水２０により除菌脱臭した後に集塵袋７で捕集することで、集塵袋７内の塵埃の除菌脱臭を行うことができる。
【００５６】
また、本実施の形態においては、集塵袋７を有する形態について説明したが、本実施の形態の集塵袋７を、バッグレスタイプの集塵フィルタユニットとしてもよい。これにより、集塵フィルタユニット内部に吸引された塵埃についても同様に除菌脱臭することができる。
【００５７】
（実施の形態４）
本発明の電気掃除機の実施の形態４について、図４を用いて説明する。なお、実施の形態１〜実施の形態３と同一部分については同一符号を付してその説明を省略する。図４は、本発明の第４の実施の形態における電気掃除機の内部構成を示すものである。
【００５８】
図４に示すように、静電霧化ユニット２１は、吸引用電動送風機２の前方の上部の吸引用電動送風機２と集塵室５との間、及び集塵室５の前方に設けられている。また、放電電極２４は、集塵室５内、及び掃除機本体１の前方に設けられた吸引口（図示せず）にそれぞれ露出するように設けられている。
【００５９】
以上のように構成された電気掃除機について、以下その動作、作用を説明する。
【００６０】
まず、使用者が、掃除機本体１を運転すると、吸引用電動送風機２により吸引風が発生され、掃除機本体１の吸引口（図示せず）から集塵袋７内に塵埃８が吸込まれる。吸込まれた塵埃８は、集塵袋７によって捕集される。吸引用電動送風機２の排気風は、掃除機本体１の後部に設けられた排気口（図示せず）より、掃除機本体１の外部に排出される。
【００６１】
次に、使用者が、掃除機本体１の運転を停止し、静電霧化ユニット２１を動作させることで、ペルチェ素子２３が通電される。ペルチェ素子２３に通電されることにより、ペルチェ素子２３の冷却側に接続されている放電電極２４が冷却されるとともに、ペルチェ素子２３の発熱側に接続されている放熱フィン２２により、ペルチェ素子２３で発生する熱が放熱される。放電電極２４の温度が外気の露点以下に達すると、放電電極２４の表面に結露水２７が生じる。放電電極２４には高電圧が印加されており、これにより結露水２７から帯電微粒子水２０が生成される。
【００６２】
静電霧化ユニット２１により生成された帯電微粒子水２０は、集塵室５内部の集塵袋７と集塵室５内壁の間、及び集塵袋７内に放出される。
【００６３】
これにより、帯電微粒子水２０を集塵袋７の外面へと放出させることで、集塵袋７の外面や外面付近の内部の塵埃８の除菌・脱臭が可能となり、集塵袋７を排気する際に集塵袋７に直に触れても衛生的とすることができる。さらに、帯電微粒子水２０が、集塵袋７内に満遍なく広がりやすくなり、集塵袋７内の塵埃の除菌脱臭を行うことができる。また、掃除機本体１の吸引口（図示せず）から吸込まれる塵埃を、静電霧化ユニット２１によっ
て生成された帯電微粒子水２０により除菌脱臭した後に集塵袋７で捕集することで、集塵袋７内の塵埃の除菌脱臭を行うことができる。
【００６４】
なお、本実施の形態においては、集塵袋７を有する形態について説明したが、本実施の形態の集塵袋７を、バッグレスタイプの集塵フィルタユニットとしてもよい。これにより、集塵フィルタユニットの内面及び外面を除菌・脱臭することができる。
【００６５】
また、本実施の形態においては、静電霧化ユニット２１は、吸引用電動送風機２の前方の上部の吸引用電動送風機２と集塵室５との間、及び集塵室５の前方に設けられている形態について説明したが、静電霧化ユニット２１は、吸引用電動送風機２の前方の上部の吸引用電動送風機２と集塵室５との間、及びフィルタ９と吸引用電動送風機２との間の隙間に設けられていてもよい。また、静電霧化ユニット２１は、フィルタ９と吸引用電動送風機２との間の隙間、及び集塵室５の前方に設けられていてもよい。
【００６６】
吸引用電動送風機の前方の上部の吸引用電動送風機と集塵室との間、及びフィルタと吸引用電動送風機との間の隙間に、静電霧化ユニットを設けた場合には、集塵袋の外面や外面付近の内部の塵埃の除菌・脱臭が可能となり、集塵袋を廃棄する際に集塵袋に直に触れても衛生的とすることができる。また、集塵袋や塵埃に付着した悪臭を帯電微粒子水にて分解脱臭することにより、掃除機本体を使用している際に外部に放出される悪臭を低減することもできる。さらに、内部に塵埃が浸透しやすく、掃除してもきれいになりにくいフィルタの表面及び内部に生じる雑菌や悪臭を帯電微粒子水によって除菌脱臭することにより、ごみ捨て時でも清潔なフィルタとすることができる。また、フィルタと吸引用電動送風機の間の狭い空間に対して帯電微粒子水を放出するため、帯電微粒子水が高濃度となり、効果的にフィルタの除菌・脱臭ができる。
【００６７】
フィルタと吸引用電動送風機との間の隙間、及び集塵室の前方に、静電霧化ユニットを設けた場合には、内部に塵埃が浸透しやすく、掃除してもきれいになりにくいフィルタの表面及び内部に生じる雑菌や悪臭を帯電微粒子水によって除菌脱臭することにより、ごみ捨て時でも清潔なフィルタとすることができる。また、フィルタと吸引用電動送風機の間の狭い空間に対して帯電微粒子水を放出するため、帯電微粒子水が高濃度となり、効果的にフィルタの除菌・脱臭ができる。さらに、集塵袋内に帯電微粒子水を放出することで、集塵袋および内部の塵埃を衛生的に保つことが可能となり、ごみ捨てを衛生的におこなうことができる。
【産業上の利用可能性】
【００６８】
以上のように、本発明にかかる電気掃除機は、帯電微粒子水の放出により空気中および掃除機本体の内外を除菌消臭することが可能となるため、より衛生的な室内空間を実現することが可能となる。
【符号の説明】
【００６９】
１  掃除機本体
２  吸引用電動送風機
５  集塵室
７  集塵袋
８  塵埃
９  集塵フィルタユニット
１０  フィルタ
２０  帯電微粒子水
２１  静電霧化ユニット
２２  放熱フィン
２３  ペルチェ素子
２４  放電電極
２７  結露水
２８  制御基板
３０  カバー
【図１】
2011136010.tif 000003
【図２】
2011136010.tif 000004
【図３】
2011136010.tif 000005
【図４】
2011136010.tif 000006
【図５】
2011136010.tif 000007